(57)【要約】【課題】収納域の商品を異なる温度状態に良好に保持すること。【解決手段】商品を収納する収納域２と、吸込口９ａ及び吹出口９ｂを通じて収納域２と連通する空気流路３０ａを有し、空気流路３０ａと収納域２との間で空気を循環させる第１空気循環手段３０と、第１空気循環手段３０により循環させられる空気を冷却する蒸発器３５とを備えたショーケースにおいて、収納域２の背面板３を貫通する態様で装着されることにより空気流路３０ａを遮断しつつ収納域２を上下に区画して異なる温度にさせる中間ダクト９０と、吸込口９ａ及び吹出口９ｂを通じて収納域２に連通する態様で空気流路３０ａと区画して設けられた空気流路４０ａを有し、空気流路４０ａと収納域２との間で空気を循環させる第２空気循環手段４０とを備えている。【選択図】図３
2019058419.tif 000002
【特許請求の範囲】
【請求項１】
ケース本体に形成され、商品を収納する収納域と、
前記収納域の前方下部に形成された吸込口及び前記収納域の前方上部に形成された吹出口を通じて該収納域と連通する態様で前記ケース本体の内部に設けられた第１空気流路を有し、該第１空気流路と前記収納域との間で空気を循環させる第１空気循環手段と、
前記第１空気循環手段により循環させられる空気を所定の温度に調整する温度調整手段と
を備え、前記商品を所望の温度状態に保持するショーケースにおいて、
前記収納域の背面を構成する背面板を貫通する態様で装着されることにより前記第１空気流路を遮断しつつ前記収納域を上下に区画して異なる温度にさせる中間ダクトと、
前記吸込口及び前記吹出口を通じて前記収納域に連通する態様で前記ケース本体の内部に前記第１空気流路と区画して設けられた第２空気流路を有し、該第２空気流路と前記収納域との間で空気を循環させる第２空気循環手段と
を備えたことを特徴とするショーケース。
【請求項２】
前記第１空気流路と前記第２空気流路とは互いに左右に並設されており、
前記第１空気流路の出口となる第１導出口と前記吹出口とを連通させるとともに、前記第２空気流路の出口となる第２導出口と前記吹出口とを連通させる導出流路と、
前記導出流路に設けられ、かつ通過する空気を左右均一となるよう整流させる整流機構と
を備えたことを特徴とする請求項１に記載のショーケース。
【請求項３】
前記整流機構は、
左右方向に沿って延在する態様で設けられ、かつ中央領域が疎となり左右両端部が密となる態様で導風孔が形成された第１導風板と、
前記第１導風板よりも上流側において、下流に向かうにつれて前記第１導風板の中央領域に延在する態様で傾斜して設置された左右一対の第２導風板と
を備えたことを特徴とする請求項２に記載のショーケース。
【請求項４】
前記第２導風板は、延在方向に沿って複数の通過孔が形成されたことを特徴とする請求項３に記載のショーケース。
【発明の詳細な説明】
【技術分野】
【０００１】
本発明は、ショーケースに関し、より詳細には、商品を所望の温度状態に保持するショーケースに関するものである。
【背景技術】
【０００２】
従来、収納対象となる商品を所望の温度状態に保持するショーケースが特許文献１に提案されている。この特許文献１に提案されているショーケースでは、前面に開口が形成されたケース本体の収納域に、複数の商品載置棚が上下方向に沿って複数段設けられており、それぞれの商品載置棚に商品が載置されることで陳列されている。
【０００３】
また、ケース本体内であって収納域外となる個所には、収納域の前方下部に設けられた吸込口を通じて吸い込んだ空気の流路が形成されており、上記収納域の上方側における空気の流路には蒸発器が設けられている。
【０００４】
このような空気の流路を通過する空気は、蒸発器で冷却され、その後に収納域の前方上部に設けられた吹出口より吹き出される。吹出口から吹き出された空気が吸込口に吸い込まれた空気の流路を循環することにより、収納域の内部空気が冷却されて商品載置棚に載置された商品が所望の温度に調整されて保持される。
【０００５】
このようなショーケースでは、蒸発器が収納域の上方側に設けられているので、蒸発器が収納域の背面側や下方側に設けられている場合に比して収納域の容積を十分に大きくすることができ、商品の陳列スペースを十分に確保することができるという利点がある。
【先行技術文献】
【特許文献】
【０００６】
【特許文献１】特許第３６９５８８５号公報
【発明の概要】
【発明が解決しようとする課題】
【０００７】
ところで、上述した特許文献１に提案されているショーケースでは、吸込口が収納域の前方下部に設けられ、かつ吹出口が収納域の前方上部に設けられており、更に蒸発器が収納域の上方側に設けられているので、収納域の背面側における空気の流路には、吸込口から吸い込まれて蒸発器に向け空気が通過することとなる。つまり、収納域の背面側における空気の流路には、蒸発器に冷却される前の空気のみが通過している。
【０００８】
そのため、収納域を中間ダクト等の仕切部材によって上下に区画するとともに、収納域の背面側における空気の流路も該仕切部材によって上下に区画しても、一方側にのみ蒸発器を通過した空気を導入させることは困難であり、結果的に、収納域の商品を異なる温度状態に保持することが困難であった。
【０００９】
本発明は、上記実情に鑑みて、収納域の商品を異なる温度状態に良好に保持することができるショーケースを提供することを目的とする。
【課題を解決するための手段】
【００１０】
上記目的を達成するために、本発明に係るショーケースは、ケース本体に形成され、商品を収納する収納域と、前記収納域の前方下部に形成された吸込口及び前記収納域の前方上部に形成された吹出口を通じて該収納域と連通する態様で前記ケース本体の内部に設けられた第１空気流路を有し、該第１空気流路と前記収納域との間で空気を循環させる第１空気循環手段と、前記第１空気循環手段により循環させられる空気を所定の温度に調整する温度調整手段とを備え、前記商品を所望の温度状態に保持するショーケースにおいて、前記収納域の背面を構成する背面板を貫通する態様で装着されることにより前記第１空気流路を遮断しつつ前記収納域を上下に区画して異なる温度にさせる中間ダクトと、前記吸込口及び前記吹出口を通じて前記収納域に連通する態様で前記ケース本体の内部に前記第１空気流路と区画して設けられた第２空気流路を有し、該第２空気流路と前記収納域との間で空気を循環させる第２空気循環手段とを備えたことを特徴とする。
【００１１】
また本発明は、上記ショーケースにおいて、前記第１空気流路と前記第２空気流路とは互いに左右に並設されており、前記第１空気流路の出口となる第１導出口と前記吹出口とを連通させるとともに、前記第２空気流路の出口となる第２導出口と前記吹出口とを連通させる導出流路と、前記導出流路に設けられ、かつ通過する空気を左右均一となるよう整流させる整流機構とを備えたことを特徴とする。
【００１２】
また本発明は、上記ショーケースにおいて、前記整流機構は、左右方向に沿って延在する態様で設けられ、かつ中央領域が疎となり左右両端部が密となる態様で導風孔が形成された第１導風板と、前記第１導風板よりも上流側において、下流に向かうにつれて前記第１導風板の中央領域に延在する態様で傾斜して設置された左右一対の第２導風板とを備えたことを特徴とする。
【００１３】
また本発明は、上記ショーケースにおいて、前記第２導風板は、延在方向に沿って複数の通過孔が形成されたことを特徴とする。
【発明の効果】
【００１４】
本発明によれば、第１空気循環手段が、商品を収納する収納域の前方下部に形成された吸込口及び収納域の前方上部に形成された吹出口を通じて収納域と連通する態様でケース本体の内部に設けられた第１空気流路を有し、該第１空気流路と収納域との間で空気を循環させ、温度調整手段が、第１空気循環手段により循環させられる空気を所定の温度に調整し、中間ダクトが、収納域の背面を構成する背面板を貫通する態様で装着されることにより第１空気流路を遮断しつつ前記収納域を上下に区画して異なる温度にさせ、第２空気循環手段が、吸込口及び吹出口を通じて収納域に連通する態様でケース本体の内部に第１空気流路と区画して設けられた第２空気流路を有し、該第２空気流路と収納域との間で空気を循環させるので、第１空気循環手段で、中間ダクトの下方域を所定の温度に調整しつつ、第２空気循環手段で中間ダクトの上方域を所望の温度に調整することができ、これにより、収納域の商品を異なる温度状態に良好の保持することができるという効果を奏する。
【図面の簡単な説明】
【００１５】
【図１】図１は、本発明の実施の形態であるショーケースを示す正面図である。
【図２】図２は、本発明の実施の形態であるショーケースを示す斜視図である。
【図３】図３は、図１及び図２に示したショーケースを模式的に示すもので、図１におけるＡ−Ａ線断面図である。
【図４】図４は、図１及び図２に示したショーケースを模式的に示すもので、図１におけるＢ−Ｂ線断面図である。
【図５】図５は、図１〜図４に示した背面板を示す正面図である。
【図６】図６は、図１〜図４に示した背面板を拡大して示す斜視図である。
【図７】図７は、図５及び図６に示した背面フラッパを示す斜視図である。
【図８】図８は、図３及び図４に示した導出流路を模式的に示す平面図である。
【図９】図９は、図３及び図４に示した導出流路を模式的に示す斜視図である。
【図１０】図１０は、図２に示した棚下ダクトを示す斜視図である。
【図１１】図１１は、任意の商品載置棚の下部を示す断面図である。
【図１２】図１２は、任意の商品載置棚の下部を示す断面図である。
【図１３】図１３は、図１１及び図１２に示した板金部材を示す斜視図である。
【図１４】図１４は、図３に示した流路切替手段を示す斜視図である。
【図１５】図１５は、図３に示した流路切替手段を示す側面図である。
【図１６】図１６は、図３及び図４に示した区画開口の近傍を拡大して示す断面図である。
【図１７】図１７は、任意の商品載置棚の下部に中間ダクトが挿入された状態を示す断面図である。
【図１８】図１８は、図３及び図４に示した区画開口の近傍を拡大して示す断面図である。
【発明を実施するための形態】
【００１６】
以下に添付図面を参照して、本発明に係るショーケースの好適な実施の形態について詳細に説明する。
【００１７】
図１及び図２は、それぞれ本発明の実施の形態であるショーケースを示すもので、図１は正面図、図２は斜視図である。図３及び図４は、図１及び図２に示したショーケースを模式的に示すもので、図３は図１におけるＡ−Ａ線断面図、図４は図１におけるＢ−Ｂ線断面図である。ここで例示するショーケースは、例えばスーパーマーケットやコンビニエンスストア等の店舗に設置されて販売対象となる商品を収容するものであり、ケース本体１を備えている。
【００１８】
ケース本体１は、底面部１Ａ、後面部１Ｂ及び天面部１Ｃを備え、これら底面部１Ａ、後面部１Ｂ及び天面部１Ｃによって囲まれる部分に前面及び左右両側面が開口した収納域２が構成されているとともに、空気循環ユニット２０、棚下ダクト６０、流路切替手段８０及び中間ダクト９０が設けられている。
【００１９】
収納域２は、後面部１Ｂの前面となる背面板３により背面が構成され、複数段（図示の例では７段）の商品載置棚４が設けられている。これら商品載置棚４は、従来公知のものであり、背面板３の左右両側域に立設された棚支柱５に取り付けられた左右一対のブラケット６に支持されるもので、これら左右一対のブラケット６間にスライダ７を介して棚板８が架設されて構成されている。かかる商品載置棚４は、棚板８の上面に商品を載置して陳列するものである。尚、スライダ７は、棚板８をブラケット６に対して前後方向に沿ってスライド可能に支持するものである。
【００２０】
このような収納域２の前方下部、すなわち底面部１Ａの前方上部には吸込口９ａが形成されているとともに、収納域２の前方上部、すなわち天面部１Ｃの前方下部には吹出口９ｂが形成されている。
【００２１】
吸込口９ａは、収納域２の内部の空気を吸い込むための開口であり、収納域２の左右方向に沿って延設されている。吹出口９ｂは、収納域２の内部に空気を吹き出すための開口であり、収納域２の左右方向に延設されている。この吹出口９ｂには、例えばハニカム構造の整流部材９ｃが取り付けられている。
【００２２】
上記背面板３は、図から明らかなように、上方に向けて漸次後方となるように傾斜して形成されている。かかる背面板３には、図５及び図６に示すように、所定の高さレベルより下方、すなわち上から４段目の商品載置棚４より下方に矩形状の背面開口３ａが形成されており、複数の背面フラッパ１０が前後方向に揺動する態様で設けられている。
【００２３】
図７は、図５及び図６に示した背面フラッパ１０を示す斜視図である。背面フラッパ１０は、例えば鋼板を屈曲等して形成されるものであり、左右方向が長手方向となる長尺状部材である。このような背面フラッパ１０は、フラッパ基部１１と、フラッパ後延部１２と、フラッパ当接部１３とを有している。
【００２４】
フラッパ基部１１は、上端部にカール状のフラッパ軸部１１ａを有する平板状部分であり、左右方向（長手方向）に沿って複数の通気孔１１ｂが形成されている。かかる通気孔１１ｂは、フラッパ基部１１に対して、その中央領域が疎となるとともに左右両端域が密となる態様で形成されている。フラッパ後延部１２は、フラッパ基部１１の下端部より後方に延在してから下方に一旦屈曲し、その後に後方に延在する部分である。フラッパ当接部１３は、フラッパ後延部１２の後端部より上方に向けて延在する部分である。
【００２５】
上記背面フラッパ１０は、フラッパ軸部１１ａの左右両端部が背面板３の背面開口３ａの左右両側縁部に形成された図示せぬ孔に挿通されてフラッパ軸部１１ａの軸心回りに揺動可能に軸支されることにより、前後方向に揺動する態様で設けられている。背面フラッパ１０は、図５及び図６に示すように、背面開口３ａにおいて上下に並ぶように設置され、常態においては該背面開口３ａを閉塞している。かかる背面フラッパ１０は、揺動することにより背面開口３ａの一部を開閉するものである。
【００２６】
空気循環ユニット２０は、図３及び図４に示したように、導入流路２１、第１空気循環手段３０、第２空気循環手段４０及び導出流路２２を備えて構成されている。
【００２７】
導入流路２１は、底面部１Ａにおいて前後方向に沿って延在する態様で設けられている。この導入流路２１は、吸込口９ａに連通している。
【００２８】
第１空気循環手段３０は、右方空気流路（第１空気流路）３０ａと右方循環ファン３０ｂとを備えて構成されている。
【００２９】
右方空気流路３０ａは、第１右方背面側流路３１と、右方上側流路３２と、第２右方背面側流路（第１背面流路）３３と、第３右方背面側流路（第２背面流路）３４とを備えて構成されている。
【００３０】
第１右方背面側流路３１は、後面部１Ｂにおいて上下方向に沿って延在する態様で設けられている。この第１右方背面側流路３１は、その下部に右方空気流路３０ａの入口となる右方導入口３１ａが設けられており、かかる右方導入口３１ａが導入流路２１を臨んでいる。つまり、第１右方背面側流路３１は、導入流路２１を通じて吸込口９ａに連通している。
【００３１】
右方上側流路３２は、天面部１Ｃに設けられており、第１右方背面側流路３１に連通している。第２右方背面側流路３３は、後面部１Ｂにおいて上下方向に沿って延在しており、右方上側流路３２と連通している。この第２右方背面側流路３３は、第１右方背面側流路３１の前方側で延設されていて、該第１右方背面側流路３１と区画されている。
【００３２】
第３右方背面側流路３４は、後面部１Ｂにおいて上下方向に沿って延在している。この第３右方背面側流路３４は、第２右方背面側流路３３と背面板３との間に延設され、第２右方背面側流路３３とは互いの下端部同士が連通した状態で区画板１４により区画されており、収納域２とは背面フラッパ１０に形成された通気孔１１ｂを通じて連通している。この第３右方背面側流路３４は、その上部に右方空気流路３０ａの出口となる右方導出口３４ａが設けられており、かかる右方導出口３４ａが導出流路２２を臨んでいる。
【００３３】
右方循環ファン３０ｂは、図示せぬ制御手段から与えられる指令により駆動して空気を循環させるものであり、第１右方背面側流路３１の所定部位に配設されている。本実施の形態においては、右方循環ファン３０ｂは第１右方背面側流路３１の所定部位に配設されているが、本発明では、右方循環ファン３０ｂの配設位置は特に限定されるものではなく、後述する右方循環ファン３０ｂの機能を発揮することができる個所であればどこに配設しても構わない。
【００３４】
第２空気循環手段４０は、左方空気流路（第２空気流路）４０ａと左方循環ファン４０ｂとを備えて構成されている。
【００３５】
左方空気流路４０ａは、左方背面側流路４１を備えている。この左方背面側流路４１は、後面部１Ｂにおける第１右方背面側流路３１の左側に該第１右方背面側流路３１とは区画されて上下方向に沿って延在する態様で設けられている。この左方背面側流路４１は、その下部に左方空気流路４０ａの入口となる左方導入口４１ａが設けられており、かかる左方導入口４１ａが導入流路２１を臨んでいる。つまり、左方背面側流路４１は、導入流路２１を通じて吸込口９ａに連通している。この左方背面側流路４１は、その上部に左方空気流路４０ａの出口となるとともに、上記右方導出口３４ａよりも左側に位置する左方導出口４１ｂが設けられており、かかる左方導出口４１ｂが導出流路２２を臨んでいる。
【００３６】
左方循環ファン４０ｂは、図示せぬ制御手段から与えられる指令により駆動して空気を循環させるものであり、左方背面側流路４１の所定部位に配設されている。本実施の形態においては、左方循環ファン４０ｂは左方背面側流路４１の所定部位に配設されているが、本発明では、左方循環ファン４０ｂの配設位置は特に限定されるものではなく、後述する左方循環ファン４０ｂの機能を発揮することができる個所であればどこに配設しても構わない。
【００３７】
導出流路２２は、天面部１Ｃにおいて前後方向に沿って延在する態様で設けられている。この導出流路２２は、右方導出口３４ａと吹出口９ｂとを連通させるとともに、左方導出口４１ｂと吹出口９ｂとを連通させるものである。つまり、導出流路２２は、右方空気流路３０ａを通過した空気と、左方空気流路４０ａを通過した空気とを吹出口９ｂまで流通させる共通の流路である。これにより、右方空気流路３０ａは、吸込口９ａ及び吹出口９ｂを通じて収納域２に連通しており、左方空気流路４０ａは、吸込口９ａ及び吹出口９ｂを通じて収納域２に連通している。
【００３８】
このような空気循環ユニット２０を構成する第１空気循環手段３０は、右方循環ファン３０ｂが駆動することにより吸込口９ａを通じて収納域２の内部にある空気を吸い込み、吸い込んだ空気が導入流路２１を流通した後に、右方空気流路３０ａを経由して空気を通気孔１１ｂまで送出、あるいは右方空気流路３０ａ及び導出流路２２を経由して空気を吹出口９ｂまで送出するものである。通気孔１１ｂ又は吹出口９ｂを通じて空気を収納域２の内部に吹き出すことにより、収納域２の内部と外部との間で空気を循環させるものである。
【００３９】
また第２空気循環手段４０は、左方循環ファン４０ｂが駆動することにより吸込口９ａを通じて収納域２の内部にある空気を吸い込み、吸い込んだ空気が導入流路２１を流通した後に、左方空気流路４０ａ及び導出流路２２を経由して吹出口９ｂまで送出し、吹出口９ｂを通じて空気を収納域２の内部に吹き出すことにより、収納域２の内部と外部との間で空気を循環させるものである。
【００４０】
上記右方空気流路３０ａの右方上側流路３２には、蒸発器（温度調整手段）３５が設けられている。すなわち、蒸発器３５は収納域２よりも上方側に配設されている。蒸発器３５は、図示せぬ圧縮機、凝縮器及び膨張機構とともに冷媒を循環させる冷媒循環手段を構成している。ここで圧縮機は、冷媒を圧縮するものである。凝縮器は、圧縮機で圧縮された冷媒を凝縮させるものである。膨張機構は、凝縮器で凝縮された冷媒を断熱膨張させて低温低圧の状態にさせるものである。かかる蒸発器３５は、右方循環ファン３０ｂが駆動することにより右方上側流路３２を後方から前方に向けて通過する空気と、膨張機構で断熱膨張させた冷媒とを熱交換させるもの、より詳細には、冷媒を蒸発させることにより右方上側流路３２を通過する空気を冷却するものである。この蒸発器３５で蒸発した冷媒は、再び圧縮機に戻り圧縮されることになる。
【００４１】
上述した導出流路２２には、図８及び図９に示すように、整流機構５０が設けられている。整流機構５０は、第１導風板５１と第２導風板５２とを備えて構成されている。
【００４２】
第１導風板５１は、例えば鋼板等により構成された長尺状部材である。この第１導風板５１は、導出流路２２における前方側、すなわち吹出口９ｂの近傍において、長手方向が左右方向となる態様で設置されている。かかる第１導風板５１には、複数の導風孔５３が設けられている。より詳細には、第１導風板５１は、中央領域が疎となり左右両端部が密となる態様で複数の導風孔５３が形成されている。尚、導風孔５３は、上下方向が長手方向となる長孔であり、それぞれの寸法は略同じである。
【００４３】
第２導風板５２は、第１導風板５１よりも後方側、すなわち第１導風板５１よりも上流側に設けられており、左右一対の右方導風板５２ａと左方導風板５２ｂとを有している。
【００４４】
右方導風板５２ａは、第１導風板５１の右端部よりも後方側に設置されている。より詳細には、右方導風板５２ａは、左方に向かうにつれて漸次前方に傾斜するよう、すなわち下流に向かうにつれて第１導風板５１の中央領域に延在する態様で傾斜するよう設置されている。かかる右方導風板５２ａには、複数の通過孔５４が左右方向に沿って形成されている。
【００４５】
左方導風板５２ｂは、第１導風板５１の左端部よりも後方側に設置されている。より詳細には、左方導風板５２ｂは、右方に向かうにつれて漸次前方に傾斜するよう、すなわち下流に向かうにつれて第１導風板５１の中央領域に延在する態様で傾斜するよう設置されている。かかる左方導風板５２ｂには、複数の通過孔５４が左右方向に沿って形成されている。
【００４６】
図１０は、図２に示した棚下ダクト６０を示す斜視図である。この図１０に示すように、棚下ダクト６０は、例えば鋼板を屈曲等して構成されたものであり、ダクト基端部６１とダクト先端部６２とが一体的に形成された構成されている。
【００４７】
ダクト基部は、前端部にカール状のダクト軸部６１ａを有した平板状部分である。ダクト先端部６２は、ダクト基端部６１の後端縁部より下方に向かうにつれて漸次後方に傾斜する平板状部分である。
【００４８】
このような棚下ダクト６０は、図１１及び図１２に示すように、上から４段目の商品載置棚４から最下段の商品載置棚４の下部に設けられている。すなわち、棚下ダクト６０は、ダクト軸部６１ａの両端部がブラケット６に形成された図示せぬ孔部に挿通されることで、該ブラケット６間に該ダクト軸部６１ａの軸心回りに前後に揺動する態様で架設されている。
【００４９】
かかる棚下ダクト６０は、常態においては、ダクト基端部６１の下面の一部がブラケット６間に架設された上側規制片６５に当接するとともに、ダクト先端部６２の前面の一部がブラケット６間に架設された下側規制片６６に当接することにより前方への揺動が規制され、これにより上側規制片６５の後端縁部と、下側規制片６６の上端縁部とにより形成された挿入開口６７を閉塞している。
【００５０】
そして、この棚下ダクト６０は、挿入開口６７を閉塞する場合に、背面フラッパ１０の通気孔１１ｂから吹き出された空気を商品載置棚４の棚板８の下面近傍に案内するためのものである。
【００５１】
上記棚下ダクト６０には、板金部材７０が例えば溶接等により取り付けられている。図１３は、板金部材７０を示す斜視図である。この図１３に示すように、板金部材７０は、例えば鋼板を屈曲等して形成されており、取付部７１、上延部７２及び前延部７３が一体的に形成された構成されている。
【００５２】
取付部７１は、ダクト先端部６２における上部の後面に溶接等に取り付けられる平板状部分である。上延部７２は、取付部７１の上端縁部より図１１及び図１２において前方に延在した後に上方に向かうにつれて漸次前方に傾斜して延在する屈曲部分である。この上延部７２には、複数の通過開口７２ａが左右方向に沿って形成されている。前延部７３は、上延部７２の上端縁部より図１１及び図１２において前方に延在する平板状部分である。
【００５３】
このような板金部材７０は、取り付けられた棚下ダクト６０が常態にある場合、前延部７３の上面が商品載置棚４の棚板８の下面に近接する大きさを有しており、上延部７２の上部後面には左右方向の全長に亘ってモヘア７４が取り付けられているとともに、前延部７３の下面の左右方向の全長には軟質性の断熱材７５が取り付けられている。
【００５４】
流路切替手段８０は、図３に示したように右方空気流路３０ａに設けられており、図１４及び図１５にも示すように、ダクトフラッパ８１とリンク機構８２とを備えて構成されている。
【００５５】
ダクトフラッパ８１は、左右方向が長手方向となる長尺状部材である。このダクトフラッパ８１は、図１６に示すように、区画板１４に形成された区画開口１４ａを挿通する態様で設けられており、基部８１ａと、第１作用部８１ｂと、第２作用部８１ｃとが一体的に形成されて構成されている。ここで区画開口１４ａは、区画板１４において背面開口３ａよりも上方側に形成されており、第２右方背面側流路３３と第３右方背面側流路３４とを連通させるものである。
【００５６】
基部８１ａは、左右両端部が第３右方背面側流路３４の両側面に取り付けられたフラッパ支持片８３により前後方向に揺動可能に軸支された部分である。第１作用部８１ｂは、図１６において基部８１ａの後端縁部より後方に向かうにつれて漸次下方に傾斜する態様で延在する部分である。第２作用部８１ｃは、図１６において基部８１ａの前端縁部より前方に向かうにつれて漸次上方に傾斜する態様で延在する部分である。
【００５７】
リンク機構８２は、第３右方背面側流路３４の左右方向の中央部分において上下方向に沿って延在する長尺状部材である。このリンク機構８２は、上方から見た場合に、コ字状を成しており、内部に挿入された規制板８４により左右方向及び前後方向の移動が規制されている。つまり、リンク機構８２は、上下方向に沿った移動は許容されている。
【００５８】
かかるリンク機構８２は、前方に突出する係合片８２ａが上下方向に亘って複数形成されている。これら係合片８２ａは、背面フラッパ１０の数だけ設けられており、それぞれが背面フラッパ１０の揺動軌跡上に進出している。
【００５９】
またリンク機構８２は、上端部に形成された軸状部８２ｂがダクトフラッパ８１の第２作用部８１ｃの前面に取り付けられた係止片８５の長孔８５ａに挿入されており、該ダクトフラッパ８１に対して回動自在に連結している。
【００６０】
このような構成の流路切替手段８０においては、いずれの背面フラッパ１０も揺動しないで背面開口３ａを閉塞した状態においては、リンク機構８２の自重により、ダクトフラッパ８１が図１６に示すように、区画開口１４ａを開成させた姿勢となる。かかる姿勢においては、第１作用部８１ｂは、第２右方背面側流路３３における区画開口１４ａよりも下流側部分を閉塞しつつ、第２作用部８１ｃは、第３右方背面側流路３４における区画開口１４ａよりも上流側部分を閉塞している。
【００６１】
中間ダクト９０は、従来公知のものであり、全体として略平板状の形態を成している。この中間ダクト９０は、ショーケースに対して着脱可能に設けられるものである。そして、ショーケースに装着される場合には、図３及び図４に示すように、いずれかの背面フラッパ１０を後方に揺動させることにより開成された背面開口３ａの一部を貫通する態様で背面板３に取り付けられ、収納域２及び第３右方背面側流路３４を上下に区画するものである。尚、この中間ダクト９０の後端部には、リンク機構８２を挿通させるための図示せぬ切欠が形成されている。
【００６２】
かかる中間ダクト９０は、内部に前後方向に沿って延在するダクト部９１を有しており、後端開口９１ａ及び中間吹出口９１ｂを有している。後端開口９１ａは、後端部の下面に形成されており、背面板３に取り付けられる場合に、第３右方背面側流路３４を臨むものである。中間吹出口９１ｂは、中間ダクト９０の前端部の下面に形成されており、ダクト部９１を通過した空気を吹き出すための開口である。
【００６３】
そして、このように中間ダクト９０が装着される場合には、図１７に示すように、棚下ダクト６０は、前方から挿入される中間ダクト９０に押圧されることで、ダクト軸部６１ａの軸心回りに後方に揺動し、挿入開口６７を開成させ、中間ダクト９０が挿入開口６７を通じて挿入されることを許容する。この際、棚下ダクト６０に取り付けられた板金部材７０は、モヘア７４が商品載置棚４の棚板８の下面に取り付けられた棚モヘア８ａに当接するとともに、断熱材７５が上側規制片６５に当接することにより、中間ダクト９０とその直上の商品載置棚４との間に密閉空間Ｓを形成する。
【００６４】
また、中間ダクト９０が装着される場合、該中間ダクト９０に押圧された背面フラッパ１０は、後方に向けて揺動することになる。そして、後方に揺動する背面フラッパ１０は、図１８に示すように、フラッパ当接部１３がリンク機構８２の係合片８２ａに当接して該係合片８２ａを押圧する。これにより、リンク機構８２は、上方に向けて移動し、このリンク機構８２が回動自在に連結されたダクトフラッパ８１は、後方に向けて揺動して第２作用部８１ｃの先端部が区画開口１４ａの開口上縁部の前面に当接することで区画開口１４ａを閉成する。この場合、第１作用部８１ｂは、区画板１４に当接して第２右方背面側流路３３を開成させ、第２作用部８１ｃは、第３右方背面側流路３４を開成させることになる。
【００６５】
以上のような構成を有するショーケースにおいては、中間ダクト９０が装着されない場合には、次のようにして収納域２を冷却して商品載置棚４に載置された商品を冷却することができる。
【００６６】
中間ダクト９０が装着されない場合、背面開口３ａは各背面フラッパ１０により閉塞されており、区画開口１４ａは、開成されている。また第２右方背面側流路３３における区画開口１４ａの下流側がダクトフラッパ８１の第１作用部８１ｂに閉塞され、第３右方背面側流路３４における区画開口１４ａの上流側がダクトフラッパ８１の第２作用部８１ｃにより閉塞されている。
【００６７】
このような状態において左方循環ファン４０ｂを駆動停止にさせつつ右方循環ファン３０ｂ及び圧縮機を駆動させると、吸込口９ａを通じて吸い込まれた空気は、導入流路２１を通過した後に右方空気流路３０ａに至る。右方空気流路３０ａにおいては、空気が第１右方背面側流路３１を上方に向けて通過した後に右方上側流路３２に進入し、蒸発器３５により冷却される。蒸発器３５により冷却された空気は、右方上側流路３２から第２右方背面側流路３３に至り、該第２右方背面側流路３３を下方に向けて通過する途中で、開成された区画開口１４ａを通過して第３右方背面側流路３４に至り、かかる第３右方背面側流路３４を上方に向けて通過する。第３右方背面側流路３４を通過した空気は、右方導出口３４ａを通じて導出流路２２に至り、その後に吹出口９ｂより収納域２に吹き出され、該収納域２で吸込口９ａに向けて流れることでエアカーテンを形成して、収納域２の内部雰囲気を冷却し、商品載置棚４に載置された商品を冷却することができる。つまり、収納域２の商品を１つの温度状態に保持することができる。
【００６８】
ところで、導出流路２２には整流機構５０が設けられているので、右側に偏った位置に配置されう右方導出口３４ａから送出された空気は、第２導風板５２を構成する右方導風板５２ａにより一部が通過孔５４を通過しつつ、その大部分が第１導風板５１の中央領域に向けて流通する。第１導風板５１では、導風孔５３が中央領域では疎となり、左右両端部で密となる態様で形成されているので、第１導風板５１の中央領域に向けて通過する空気、並びに通過孔５４を通過した空気が導風孔５３を通過することで、略左右均一となるように通過し、吹出口９ｂより左右均一に吹き出される。
【００６９】
次に、中間ダクト９０が装着された場合について説明する。中間ダクト９０が装着された場合、挿入開口６７に挿入させた中間ダクト９０により揺動した棚下ダクト６０に取り付けられた板金部材７０は、モヘア７４が該中間ダクト９０の直上の商品載置棚４の棚板８の下面に取り付けられた棚モヘア８ａに当接するとともに、断熱材７５が上側規制片６５に当接することにより、中間ダクト９０と該商品載置棚４との間に密閉空間Ｓを形成する。
【００７０】
また中間ダクト９０に押圧されて後方に揺動する背面フラッパ１０に当接されたリンク機構８２が上方に向けて移動することで区画開口１４ａがダクトフラッパ８１により閉成されるとともに、第３右方背面側流路３４は中間ダクト９０により遮断されて上下に区画される。
【００７１】
このような状態において左方循環ファン４０ｂ、右方循環ファン３０ｂ及び圧縮機を駆動させると、吸込口９ａを通じて吸い込まれた空気は、導入流路２１を通過した後に一部が右方空気流路３０ａに至るとともに、残りが左方空気流路４０ａに至る。
【００７２】
右方空気流路３０ａにおいては、空気が第１右方背面側流路３１を上方に向けて通過した後に右方上側流路３２に進入し、蒸発器３５により冷却される。蒸発器３５により冷却された空気は、右方上側流路３２から第２右方背面側流路３３に至り、該第２右方背面側流路３３を下方に向けて通過した後に、第３右方背面側流路３４に至る。第３右方背面側流路３４を通過する空気は、一部が背面フラッパ１０の通気孔１１ｂから収納域２に吹き出され、棚下ダクト６０により商品載置棚４の下面近傍に案内されて流通する。また残りの空気は、中間ダクト９０の後端開口９１ａからダクト部９１に至り、中間吹出口９１ｂから吹き出され、該収納域２で吸込口９ａに向けて流れることでエアカーテンを形成して、収納域２における中間ダクト９０の下方領域の内部雰囲気を冷却し、該中間ダクト９０より下方の商品載置棚４に載置された商品を冷却することができる。
【００７３】
左方空気流路４０ａにおいては、空気が左方背面側流路４１を上方に向けて通過した後に、左方導出口４１ｂを通じて導出流路２２に至り、その後に吹出口９ｂより収納域２に吹き出され、該収納域２で吸込口９ａに向けて流れることでエアカーテンを形成して、収納域２における中間ダクト９０の上方領域の内部雰囲気を所望の温度にすることができる。つまり、収納域２の商品を２つの異なる温度状態に保持することができる。
【００７４】
ところで、導出流路２２には整流機構５０が設けられているので、左側に偏った位置に配置された左方導出口４１ｂから送出された空気は、第２導風板５２を構成する左方導風板５２ｂにより一部が通過孔５４を通過しつつ、その大部分が第１導風板５１の中央領域に向けて流通する。第１導風板５１では、導風孔５３が中央領域では疎となり、左右両端部で密となる態様で形成されているので、第１導風板５１の中央領域に向けて通過する空気、並びに通過孔５４を通過した空気が導風孔５３を通過することで、略左右均一となるように通過し、吹出口９ｂより左右均一に吹き出される。
【００７５】
以上説明したように、本発明の実施の形態であるショーケースによれば、流路切替手段８０が、中間ダクト９０が装着される場合には、該中間ダクト９０よりも下方の背面フラッパ１０の通気孔１１ｂより蒸発器３５で冷却された空気が収納域２に吹き出される一方、中間ダクト９０が装着されない場合には、蒸発器３５で冷却された空気が通気孔１１ｂより吹き出されることを規制しつつ吹出口９ｂより吹き出されるよう空気の流路を切り替えるので、収納域２の商品を１つの温度状態だけでなく異なる温度状態に良好に保持することができる。
【００７６】
上記ショーケースによれば、中間ダクト９０が装着された場合において、第１空気循環手段３０により蒸発器３５で冷却された空気を中間ダクト９０の中間吹出口９１ｂ、並びに中間ダクト９０の下方の背面フラッパ１０の通気孔１１ｂより収納域２に吹き出させて中間ダクト９０の下方領域の商品を冷却しつつ、第２空気循環手段４０により循環させられた空気を吹出口９ｂから吹き出させて中間ダクト９０の上方領域の商品を所定の温度に保持することができるので、収納域２の商品を異なる温度状態に良好の保持することができる。
【００７７】
上記ショーケースによれば、中間ダクト９０が装着される場合に、該中間ダクト９０により揺動した棚下ダクト６０に取り付けられた板金部材７０が、該中間ダクト９０と、その直上の商品載置棚４との間に密閉空間Ｓを形成するので、寸法誤差等により第３右方背面側流路３４を通過する空気の一部が中間ダクト９０と該商品載置棚４との隙間に進入するのを抑止し、該中間ダクト９０の上面に結露が生ずることを抑制することができる。
【００７８】
上記ショーケースによれば、蒸発器３５が天面部１Ｃに設けられているので、収納域２の容積を十分に確保することができ、商品の陳列スペースを十分に確保することができる。
【００７９】
以上、本発明の好適な実施の形態について説明したが、本発明においては、これらに限定されるものではなく、種々の変更を行うことができる。
【００８０】
上述した実施の形態では、流路切替手段８０として、区画開口１４ａを開閉するダクトフラッパ８１と、該ダクトフラッパ８１に回動自在に連結されて第３右方背面側流路３４を上下動可能に設置されたリンク機構８２とにより構成されていたが、本発明においては、中間ダクトが装着される場合には、中間ダクトよりも下方の背面フラッパの通気孔より温度調整手段で調整された空気が収納域に吹き出される一方、中間ダクトが装着されない場合には、温度調整手段で調整された空気が通気孔より吹き出されることを規制しつつ吹出口より吹き出されるよう空気流路を切り替えることができればその構成要素は特に限定されない。
【００８１】
上述した実施の形態では、板金部材７０が棚下ダクト６０に取り付けられていたが、本発明においては、板金部材は、棚下ダクト以外に取り付けられていてもよい。
【符号の説明】
【００８２】
１  ケース本体
２  収納域
３  背面板
３ａ  背面開口
４  商品載置棚
９ａ  吸込口
９ｂ  吹出口
１０  背面フラッパ
１１ｂ  通気孔
２０  空気循環ユニット
２１  導入流路
２２  導出流路
３０  第１空気循環手段
３０ａ  右方空気流路
３０ｂ  右方循環ファン
３５  蒸発器
４０  第２空気循環手段
４０ａ  左方空気流路
４０ｂ  左方循環ファン
５０  整流機構
５１  第１導風板
５２  第２導風板
５３  導風孔
５４  通過孔
６０  棚下ダクト
７０  板金部材
７１  取付部
７２  上延部
７３  前延部
８０  流路切替手段
８１  ダクトフラッパ
８２  リンク機構
９０  中間ダクト
Ｓ  密閉空間
【図１】
2019058419.tif 000003
【図２】
2019058419.tif 000004
【図３】
2019058419.tif 000005
【図４】
2019058419.tif 000006
【図５】
2019058419.tif 000007
【図６】
2019058419.tif 000008
【図７】
2019058419.tif 000009
【図８】
2019058419.tif 000010
【図９】
2019058419.tif 000011
【図１０】
2019058419.tif 000012
【図１１】
2019058419.tif 000013
【図１２】
2019058419.tif 000014
【図１３】
2019058419.tif 000015
【図１４】
2019058419.tif 000016
【図１５】
2019058419.tif 000017
【図１６】
2019058419.tif 000018
【図１７】
2019058419.tif 000019
【図１８】
2019058419.tif 000020